(57)【特許請求の範囲】
【請求項１】
内部空間を備えた前後渡し材と、
上記内部空間に収納され、基端部が上記前後渡し材に回動自在に係合された主材と、
上記内部空間に収納され、基端部が上記前後渡し材に回動自在に係合された少なくとも一つの柱材とを備え、
設置箇所に配置固定された上記前後渡し材の内部空間から上記主材を斜めに引き上げると共に、同内部空間から上記柱材を引き上げ、この柱材の先端部を上記主材に固定することによって組み立てられる太陽光モジュール取付架台用ユニット。
【請求項２】
上記前後渡し材の内部空間に、２以上の柱材が収納されていることを特徴とする請求項１に記載の太陽光モジュール取付架台用ユニット。
【請求項３】
上記前後渡し材の外側面に、少なくとも一つの斜め材の基端部が回動自在に係合されており、
この斜め材の先端部を引き上げて上記主材の側面に固定することを特徴とする請求項１または２に記載の太陽光モジュール取付架台用ユニット。
【請求項４】
上記前後渡し材の内部空間に収納され、基端部が上記前後渡し材に回動自在に係合された少なくとも一つの斜め材を備え、
この斜め材の先端部を引き上げて上記主材に固定することを特徴とする請求項１または２に記載の太陽光モジュール取付架台用ユニット。
【発明の詳細な説明】
【技術分野】
【０００１】
この発明は太陽光モジュール取付架台用ユニットに係り、特に、構造が簡素で現場での組立も容易な太陽光モジュール取付架台用ユニットに関する。
【背景技術】
【０００２】
近時、二酸化炭素を排出しないクリーンなエネルギとして太陽光発電に対する期待が高まってきており、それにつれてビルの屋上等に太陽光モジュールを設置し、自家発電する企業が増えてきている。
ところで、太陽光モジュールを設置する際には、発電効率を高めるために一定の角度を保持する必要があり、そのために太陽光モジュールを所定の傾斜状態で支持する取付架台の利用が不可欠となる（特許文献１参照）。
【特許文献１】特開２０００−１０１１２３
【０００３】
この特許文献１に記載された太陽電池取付架台装置の場合、矩形枠状に形成した取付フレームに一対の高脚支柱及び一対の低脚支柱を取り付けることにより、所望の傾斜角度が実現される仕組みを備えている。
また、個々の架台装置が一つの太陽光モジュールに対応しており、工場で量産された複数の架台装置を現地に搬送して相互間を連結することにより、必要な規模の発電施設を柔軟に実現できる利点を備えている。
【発明の開示】
【発明が解決しようとする課題】
【０００４】
しかしながら、個々の架台装置は上記通り矩形枠状の取付フレームを備えており、４本の支柱が予め接続された状態で工場から出荷されるため、搬送時には大きなスペースを占めることとなる。また、現場に設置する際にも多くの人手を要し、広い保管場所を確保する必要もあった。
【０００５】
この発明は、従来の上記問題を解決するために案出されたものであり、搬送時や保管時のスペースファクタに優れると共に、一人でも容易に設置可能な構造を備えた太陽光モジュール取付架台用ユニットを提供することを目的としている。
【課題を解決するための手段】
【０００６】
上記の目的を達成するため、請求項１に記載の太陽光モジュール取付架台用ユニットは、内部空間を備えた前後渡し材と、上記内部空間に収納され、基端部が上記前後渡し材に回動自在に係合された主材と、上記内部空間に収納され、基端部が上記前後渡し材に回動自在に係合された少なくとも一つの柱材とを備え、設置箇所に配置固定された上記前後渡し材の内部空間から上記主材を斜めに引き上げると共に、同内部空間から上記柱材を引き上げ、この柱材の先端部を上記主材に固定することによって組み立てられることを特徴としている。
【０００８】
請求項２に記載の太陽光モジュール取付架台用ユニットは、請求項１のユニットであって、さらに、上記前後渡し材の内部空間に２以上の柱材が収納されていることを特徴としている。
【０００９】
請求項３に記載の太陽光モジュール取付架台用ユニットは、請求項１または２のユニットであって、さらに、上記前後渡し材の外側面に少なくとも一つの斜め材の基端部が回動自在に係合されており、この斜め材の先端部を引き上げて上記主材の側面に固定することを特徴としている。
【００１０】
請求項４に記載の太陽光モジュール取付架台用ユニットは、請求項１または２のユニットであって、さらに、上記前後渡し材の内部空間に収納され、基端部が上記前後渡し材に回動自在に係合された少なくとも一つの斜め材を備え、この斜め材の先端部を引き上げて上記主材に固定することを特徴としている。
【発明の効果】
【００１１】
請求項１に記載の太陽光モジュール取付架台用ユニットにあっては、太陽光モジュール取付架台の傾斜面を構成するための主材と、この主材を支えるための柱材が、基礎をなす前後渡し材の内部空間に収納される構造を備えているため、全体的な省スペース化が実現可能となる。
また、設置に際しては、設置面に固定された前後渡し材の内部空間から主材を斜めに引き上げ、同じく柱材を内部空間から引き上げて主材を支持するように固定するだけで済むため、太陽光モジュール取付架台を一人で構築することも可能となる。
さらに、複数のユニットを相互に所定の間隔をおいて設置することにより、必要な規模の太陽光モジュール取付架台を柔軟に形成できる利点を備えている。
【００１３】
請求項２に記載の太陽光モジュール取付架台用ユニットにあっては、複数の柱材によって主材が支持されるため、全体の剛性を高めることができる。
【００１４】
請求項３または４に記載の太陽光モジュール取付架台用ユニットにあっては、斜め材によって主材が補強される構造を備えているため、全体の剛性を高めることが可能となる。
【発明を実施するための最良の形態】
【００１５】
図１〜図５は、この発明に係る太陽光モジュール取付架台用ユニット（以下「ユニット10」）を示す側面図であり、前後渡し材12と、主材14と、後柱材16と、前柱材18と、第１の斜め材20と、第２の斜め材22を備えている。
【００１６】
前後渡し材12は、図１のＡ−Ａ断面図である図６に示すように、断面Ｌ字状のアングル材よりなる第１の渡し部材24と、同じく断面Ｌ字状のアングル材よりなる第２の渡し部材26との組合せよりなる。
また、主材14及び後柱材16はＣチャンネルよりなり、第１の渡し部材24の垂直面24aの内側と、第２の渡し部材26の垂直面26aの内側との間に形成された内部空間27内に、上下に収納されている。
【００１７】
第１の斜め材20及び第２の斜め材22は、断面Ｌ字状のアングル材よりなり、第１の渡し部材24の垂直面24aの外側と第２の渡し部材26の垂直面26aの外側にそれぞれ配置されている。
【００１８】
後柱材16の左右両側面には、それぞれ回動用貫通孔16aが形成されている。
また、第１の渡し部材24の垂直面24aと、第２の渡し部材26の垂直面26aにも、それぞれ第１の回動用貫通孔24b及び26bが形成されている。
さらに、第１の斜め材20の垂直面20aと、第２の斜め材22の垂直面22aにも、それぞれ回動用貫通孔20b及び22bが形成されている。
【００１９】
そして、後柱材16の右側面の回動用貫通孔16aと、第１の渡し部材24の第１の回動用貫通孔24b及び第１の斜め材20の回動用貫通孔20bに対して外側からボルト30が挿通されると共に、後柱材16の内側においてボルト30の先端部にナット32が係合されている。
同様に、後柱材16の左側面の回動用貫通孔16aと、第２の渡し部材26の第１の回動用貫通孔26b及び第２の斜め材22の回動用貫通孔22bに対して外側からボルト30が挿通されると共に、後柱材16の内側においてボルト30の先端部にナット32が係合されている。
この際、後柱材16、第１の斜め材20、第２の斜め材22が回動自在となるように、各ボルト30とナット32間は緩めにネジ止めされている。
【００２０】
前柱材18は、図１のＢ−Ｂ断面図である図７に示すようにＣチャンネルよりなり、第１の渡し部材24の垂直面24aの内側と、第２の渡し部材26の垂直面26aの内側との間の内部空間27内に配置されている。
【００２１】
前柱材18の左右両側面には、それぞれ回動用貫通孔18aが形成されている。
また、第１の渡し部材24の垂直面24aと、第２の渡し部材26の垂直面26aにも、それぞれ第２の回動用貫通孔24c及び26cが形成されている。
【００２２】
前柱材18の右側面の回動用貫通孔18a及び第１の渡し部材24の第２の回動用貫通孔24cに対して外側からボルト30が挿通されると共に、前柱材18の内側においてボルト30の先端部にナット32が係合されている。
同様に、前柱材18の左側面の回動用貫通孔18a及び第２の渡し部材26の第２の回動用貫通孔26cに対して外側からボルト30が挿通されると共に、前柱材18の内側においてボルト30の先端部にナット32が係合されている。
この場合も、前柱材18が回動自在となるように、各ボルト30とナット32間は緩めにネジ止めされている。
【００２３】
図１のＣ−Ｃ断面図である図８に示すように、主材14の基端部の左右両側面には、それぞれ回動用貫通孔14aが形成されている。
また、第１の渡し部材24の垂直面24aと、第２の渡し部材26の垂直面26aにも、それぞれ第３の回動用貫通孔24d及び26dが形成されている。
【００２４】
そして、第１の渡し部材24の第３の回動用貫通孔24d及び主材14の右側面の回動用貫通孔14aに対して外側からボルト30が挿通されると共に、内側において先端部にナット32が係合されている。
同様に、第２の渡し部材26の第３の回動用貫通孔26d及び主材14の左側面の回動用貫通孔14aに対して外側からボルト30が挿通されると共に、内側において先端部にナット32が係合されている。
この場合も、主材14が回動自在となるように、各ボルト30とナット32間は緩めにネジ止めされている。
【００２５】
以上の説明により明らかなように、第１の渡し部材24及び第２の渡し部材26は、それぞれ主材14、後柱材16及び前柱材18との係合を通じて、一体化されている。
【００２６】
以下、図１〜図５に従い、このユニット10の設置及び組立方法を説明する。
まず、ユニット10は、図１に示すように、ビルの屋上等の設置面40に固定されたＣチャンネル等よりなる複数のベース材42上に載置され、第１の渡し部材24の水平面24e及び第２の渡し部材26の水平面26eが、ボルト（図示省略）等を介してベース材42に対し強固に固定される。
【００２７】
つぎに、図２に示すように、前後渡し材12から突出した主材14の先端部を片手で持ち上げる。
この結果、主材14はボルト30を軸に回動し、前後渡し材に対して所定の角度を形成する。
【００２８】
つぎに、図３に示すように、後柱材16を垂直に持ち上げ、その先端部を主材14の内部に挿入させる。
すなわち、図９に示すように、後柱材16の先端部には絞り加工が施されて横幅が狭く形成されており、主材14の内部（側面間）に挿入可能となされている。
そして、主材14の左右両側面に形成された第１の固定用貫通孔14bと、後柱材16の先端部の左右両側面に形成された固定用貫通孔16bに対して外側からボルト30が挿通されると共に、後柱材16の内側においてその先端部にナット32が強固にネジ止めされる。
【００２９】
つぎに、図４に示すように、前柱材18を垂直に持ち上げ、その先端部を主材14の内部に挿入させる。
図示は省略したが、前柱材18の先端部にも絞り加工が施されて横幅が狭く形成されているため、主材14の内部に挿入可能となる。
そして、主材14の左右両側面に形成された第２の固定用貫通孔14cと、前柱材18の先端部の左右両側面に形成された固定用貫通孔に対して外側からボルト30が挿通されると共に、前柱材18の内側においてその先端部にナット32が強固にネジ止めされる。
【００３０】
つぎに、図５に示すように、第１の斜め材20及び第２の斜め材22を順番に持ち上げて主材14の両側面にあてがい、先端の固定用貫通孔20c, 22cを主材14の両側面に形成された第３の固定用貫通孔14dに位置合わせした後、ボルト30とナット32で強固に固定する。
【００３１】
最後に、各回動用貫通孔に挿通されたボルト30とナット32を強固に締め上げることにより、一つのユニット10の設置及び組立が完了する。
【００３２】
上記ベース材42上には、図１０に示すように、一定の間隔をおいて複数のユニット10が上記と同様の操作によって組み付けられていき、太陽光モジュール取付架台50が構築される。
この際、取付架台50の強度を高めるため、各ユニット10間にアングル材よりなる補強材を掛け渡し、ボルトで固定してもよい。
【００３３】
その後、図５に示すように、各ユニット10に複数の取付金具52がビス止めされ、各ユニット10の取付金具52間に太陽光モジュール54が載置・固定される。取付金具52を用いることなく、ボルトとナットを介して太陽光モジュール54を主材14に直に固定することもできる。
【００３４】
このユニット10の場合、主材14、後柱材16及び前柱材18が、アングル材からなる前後渡し材12の内部空間27に回動自在に収納されると共に、第１の斜め材20及び第２の斜め材22が、前後渡し材12の両側面に回動自在に係合されているため、全体形状がコンパクトにまとまり、搬送時や保管時の省スペース化を実現することができる。
【００３５】
また、設置に際しては、ベース材42上に固定された前後渡し材12の内部空間27から主材14を所定の角度で引き上げると共に、後柱材16及び前柱材18を内部空間27から引き上げて主材14にボルト30で固定するだけで済むため、省力化が可能となる。
【００３６】
この発明は、上記の実施形態に限定されるものではなく、様々なバリエーションが考えられる。
例えば、前後渡し材12をアングル材よりなる第１の渡し部材24と第２の渡し材26との組合せによって構成する代わりに、図１１に示すように、第１の垂直面24a、第１の水平面24e、第２の垂直面26a、第２の水平面26e、及び第１の水平面24eと第２の水平面26eを繋ぐ底面αを備えた、一体型の鋼材によって前後渡し材12を構成してもよい。
あるいは、比較的深めのＣチャンネルを用いることにより、両側に張り出す水平面を有さない形状の前後渡し材を用いてもよい。
【００３７】
また、柱材の数も２つに限定されるものではなく、例えば、後柱材16と前柱材の間に、前後渡し材12に回動自在に係合された中央柱材を設けることもできる。
あるいは、斜め材を前後渡し材12の両側面に回動自在に取り付けておく代わりに、柱材と同様、Ｃチャンネルからなる斜め材を前後渡し材12の内部空間27に回動自在に収納させておいてもよい。
【図面の簡単な説明】
【００３８】
【図１】この発明に係る太陽光モジュール取付架台用ユニットの組立工程を示す側面図である。
【図２】この発明に係る太陽光モジュール取付架台用ユニットの組立工程を示す側面図である。
【図３】この発明に係る太陽光モジュール取付架台用ユニットの組立工程を示す側面図である。
【図４】この発明に係る太陽光モジュール取付架台用ユニットの組立工程を示す側面図である。
【図５】この発明に係る太陽光モジュール取付架台用ユニットの組立工程を示す側面図である。
【図６】図１のＡ−Ａ拡大断面図である。
【図７】図１のＢ−Ｂ拡大断面図である。
【図８】図１のＣ−Ｃ拡大断面図である。
【図９】後柱材と主材との接合部を示す拡大断面図である。
【図１０】複数のユニットを用いて形成された太陽光モジュール取付架台を示す正面図である。
【図１１】この発明に係る太陽光モジュール取付架台用ユニットの変形例を示す拡大断面図である。
【符号の説明】
【００３９】
10 太陽光モジュール取付架台用ユニット
12 前後渡し材
14 主材
16 後柱材
18 前柱材
20 第１の斜め材
22 第２の斜め材
24 第１の渡し部材
26 第２の渡し部材
27 内部空間
30 ボルト
32 ナット
40 設置面
42 ベース材
50 太陽光モジュール取付架台
52 取付金具
54 太陽光モジュール
【図１】
0005959837.tif 000002
【図２】
0005959837.tif 000003
【図３】
0005959837.tif 000004
【図４】
0005959837.tif 000005
【図５】
0005959837.tif 000006
【図６】
0005959837.tif 000007
【図７】
0005959837.tif 000008
【図８】
0005959837.tif 000009
【図９】
0005959837.tif 000010
【図１０】
0005959837.tif 000011
【図１１】
0005959837.tif 000012